(57)【要約】【課題】二重フィルタエレメントを備える場合であっても、液槽へ設置する際の搭載性の向上を図ることができるフィルタを提供する。【解決手段】円筒状の内側濾紙２と、その外周に間隔をあけて設けられる外側濾紙３とを備える二重フィルタエレメント１を有するフィルタ１０が、内・外側濾紙２，３の両端を閉止する一対のエンドプレート４，５と、内側濾紙２の内周に配置され、エンドプレート５に設けられた開口部５１を介して外方に連通する内筒６と、外側濾紙３の外周に配置され、加工液を通過させる複数の開口部７１を有する外筒７と、エンドプレート４に形成された開口部４１を囲むように固定され、流体導入管を接続するためのカプラ４２と、エンドプレート４の内面に配置され、カプラ４２を介して導入される加工液を、内・外側濾紙２，３間へと案内するサブプレート８と、を備えている。【選択図】図１
2018051465.tif 000002
【特許請求の範囲】
【請求項１】
筒状に形成される内側濾紙と、この内側濾紙の外周を囲むように間隔をおいて設けられる外側濾紙と、を備える二重フィルタエレメントを有し、導入される流体を、前記内側濾紙および前記外側濾紙にそれぞれ通過させ、濾過された流体を前記内側濾紙内方および前記外側濾紙外方より排出するフィルタであって、
前記内側濾紙および前記外側濾紙の両端を閉止する一対のエンドプレートと、
前記内側濾紙の内側に配置され、一方の前記エンドプレートに設けられた開口部を介して外方に連通する内筒と、
外側濾紙の外周に配置され、前記流体を通過させるための複数の開口部を有する外筒と、
他方の前記エンドプレートに形成された開口部を囲むように前記エンドプレートの外面に固定され、前記流体を導入する流体導入管を接続するためのコネクタと、
前記他方のエンドプレートの内面側に配置され、前記コネクタを介して導入される前記流体を、前記内側濾紙および前記外側濾紙間へと案内する案内部材と、
を備えることを特徴とするフィルタ。
【請求項２】
前記案内部材は、
前記他方のエンドプレートにおける前記開口部に対応する中心位置から放射状に延設され、前記中心位置から前記内側濾紙および前記外側濾紙間に対応する位置へと連通する複数の流路部と、
各前記流路部から前記内側濾紙および前記外側濾紙間に向けて開口する開口部と、を備えている
ことを特徴とする請求項１に記載のフィルタ。
【請求項３】
前記他方のエンドプレートの前記内面側には、
前記案内部材に対応した凹部と、
前記凹部内に配置され、前記開口部から放射状に延設された前記案内部材の前記流路部に対応する流路構成部と、が設けられている
ことを特徴とする請求項２に記載のフィルタ。
【請求項４】
前記一方のエンドプレートの外方側には、
前記内筒を介して排出される前記流体を、当該一方のエンドプレートにおける略中心に形成された開口部から外周側へと案内する複数のガイド溝が放射状に延設されている
ことを特徴とする請求項１〜３のいずれか一項に記載のフィルタ。
【請求項５】
前記外側濾紙は、外方側が内方に向けて屈曲した断面Ｖ字状に形成されている
ことを特徴とする請求項１〜４のいずれか一項に記載のフィルタ。
【発明の詳細な説明】
【技術分野】
【０００１】
本発明は、二重フィルタエレメントを備えたフィルタに関する。
【背景技術】
【０００２】
従来から筒状に形成される内側濾紙（内側エレメント）と、この内側濾紙の外周を囲むように、間隔をおいて設けられた外側濾紙（外側エレメント）と、を有する二重フィルタエレメントを備えたフィルタが知られている（特許文献１，２参照）。
【０００３】
このフィルタは、例えば放電加工機等において、放電加工の際に発生した加工粉を濾過するために用いられ、内側濾紙および外側濾紙の両端を閉止する一対のエンドプレートと、内側濾紙の内周に配置され、且つ、エンドプレートの外方へと連通する流体通過性の内筒と、外側濾紙の外周に配置される流体通過性の外筒とを設けて構成されている。そして、このエンドプレートの一方に内・外側濾紙間に連通する開口部を形成すると共に、該開口部に流体導入管を接続するコネクタを固定し、該コネクタを介して導入される流体を内側濾紙および外側濾紙にそれぞれ通過させ、濾過された流体を内側濾紙内方および外側濾紙外方より排出する構造となっている。これにより、放電加工の際に発生した加工粉を洗い流すための加工液を、このフィルタを通過させることで、加工液から加工粉を除去できる。
【先行技術文献】
【特許文献】
【０００４】
【特許文献１】実開昭６２−１４０９０５号公報
【特許文献２】実開昭６２−１４０９１０号公報
【発明の概要】
【発明が解決しようとする課題】
【０００５】
ところで、かかるフィルタは、加工液を貯留する液槽としてのタンク内に設置される。このとき、フィルタの前記開口部に固定されたコネクタ（カプラとも称す）の位置は、前記エンドプレートにおいて設置上の制約が少ない中心部が好ましい。
【０００６】
しかしながら、前述したような従来のフィルタにおいては、カプラは、二重フィルタエレメントの外側濾紙と内側濾紙との間に配置される必要があるため、エンドプレートの中心部から偏芯した位置に配設されている。このため、フィルタをタンク内に設置する際、カプラと流体導入管との接続位置を、前記偏芯した分、補整するための部品が必要となり、構成が複雑となる問題があった。
【０００７】
そこで、本発明は、このような事情に鑑みてなされたものであり、二重フィルタエレメントを備える場合であっても、液槽へ設置する際の搭載性の向上を図ることを可能とすることを目的とする。
【課題を解決するための手段】
【０００８】
前述の目的を達成するため、本発明に係るフィルタは、
筒状に形成される内側濾紙と、この内側濾紙の外周を囲むように間隔をおいて設けられる外側濾紙と、を備える二重フィルタエレメントを有し、導入される流体を、前記内側濾紙および前記外側濾紙にそれぞれ通過させ、濾過された流体を前記内側濾紙内方および前記外側濾紙外方より排出するフィルタであって、
前記内側濾紙および前記外側濾紙の両端を閉止する一対のエンドプレートと、
前記内側濾紙の内側に配置され、一方の前記エンドプレートに設けられた開口部を介して外方に連通する内筒と、
外側濾紙の外周に配置され、前記流体を通過させるための複数の開口部を有する外筒と、
他方の前記エンドプレートに形成された開口部を囲むように前記エンドプレートの外面に固定され、前記流体を導入する流体導入管を接続するためのコネクタと、
前記他方のエンドプレートの内面側に配置され、前記コネクタを介して導入される前記流体を、前記内側濾紙および前記外側濾紙間へと案内する案内部材と、
を備えることを特徴とする。
【０００９】
本発明によれば、二重フィルタエレメントを備える場合であっても、コネクタを介して導入される流体を、案内部材によって、内側濾紙と外側濾紙との間へと案内できるので、他方のエンドプレートにおいてコネクタが固定される開口部を適宜な位置（好ましくは略中心）に形成することができ、フィルタを液槽へ設置する際の搭載性を向上させることができる。
【００１０】
また、前述のフィルタにおいて、
前記案内部材は、
前記他方のエンドプレートにおける前記開口部に対応する中心位置から放射状に延設され、前記中心位置から前記内側濾紙および前記外側濾紙間に対応する位置へと連通する複数の流路部と、
各前記流路部から前記内側濾紙および前記外側濾紙間に向けて開口する開口部と、を備えている。
【００１１】
これにより、コネクタを介して導入される流体を、複数の流路部と開口部を介して内側濾紙と外側濾紙との間へと確実に案内できる。
【００１２】
このとき、前述のフィルタにおいて、
前記他方のエンドプレートの前記内面側には、
前記案内部材に対応した凹部と、
前記凹部内に配置され、前記開口部から放射状に延設された前記案内部材の前記流路部に対応する流路構成部と、が設けられていることが好ましい。
【００１３】
これにより、凹部に案内部材が取り付けられ、流路構成部が流路部と係合することで、コネクタを介して導入される流体を内側濾紙と外側濾紙との間へと案内する案内流路を構築することができる。
【００１４】
また、前述のフィルタにおいて、
前記一方のエンドプレートの外方側には、
前記内筒を介して排出される前記流体を、当該一方のエンドプレートにおける略中心に形成された開口部から外周側へと案内する複数のガイド溝が放射状に延設されていることが好ましい。
【００１５】
これにより、フィルタが液槽に搭載され、一方のエンドプレートが当該液槽の底部に密接した状態においても、内側濾紙を通過して濾過された後、内筒を介して排出される流体を、複数のガイド溝を介してフィルタの外周側へと案内することができる。
【００１６】
さらに、前述のフィルタにおいて、
前記外側濾紙は、径方向内外に繰り返し折り返された円筒形状に形成されていることが好ましい。
【００１７】
これにより、外側濾紙が径方向内外に繰り返し折り返された円筒形状に形成されている分、濾過面積を拡げることができ、濾過効率を向上させることができる。
【発明の効果】
【００１８】
本発明によれば、二重フィルタエレメントを備える場合であっても、液槽へ設置する際の搭載性の向上を図ることができる。
【図面の簡単な説明】
【００１９】
【図１】本発明のフィルタを示す分解斜視図である。
【図２】本発明のフィルタを側面から見て示す半断面図である。
【図３】本発明のフィルタにおけるエンドプレートを概略的に示し、（ａ）は上面図、（ｂ）は下面図である。
【図４】本発明のフィルタにおけるサブプレートを概略的に示し、（ａ）は上面図、（ｂ）は下面図である。
【図５】図２のＡ−Ａ線矢視図である。
【発明を実施するための形態】
【００２０】
以下、図面を参照して、本発明の実施形態について説明する。本実施形態では、本発明のフィルタが、放電加工機に適用され、加工液に含まれる加工粉を除去するのに用いられる場合を例に説明する。但し、以下に述べる実施形態には、本発明を実施するために技術的に好ましい種々の限定が付されているが、本発明の範囲を以下の実施形態および図示例に限定するものではない。
【００２１】
図１および図２に示すフィルタ１０は、二重フィルタエレメント１（以下、単にエレメント１と称す）を備えるものであり、このエレメント１は、円筒状の内側濾紙２と、この内側濾紙２の外周を囲むように、間隔をおいて設けられる外側濾紙３と、を備えている。なお、外側濾紙３は、径方向内外に繰り返し折り返された円筒形状に形成されていることが好ましい。
【００２２】
また、フィルタ１０は、内側濾紙２および外側濾紙３の両端を閉止する一対のエンドプレート４，５と、内側濾紙２の内側に配置され、エンドプレート５に設けられた開口部５１を介して外方に連通する内筒６と、外側濾紙３の外周に配置され、流体（加工液）を通過させるための複数の開口部７１を有する外筒７と、エンドプレート４における略中心に形成された開口部４１を囲むようにエンドプレートの外面に固定され、加工液を導入する流体導入管（不図示）を接続するためのコネクタ（以下、カプラ４２と称す）と、エンドプレート４の内面に配置され、カプラ４２を介して導入される加工液を、内側濾紙２と外側濾紙３との間へと案内する案内部材としてのサブプレート８と、を備えている。このとき、エンドプレート４は、外筒７の一方の端部７ａに係合され、エンドプレート５は、外筒７の他方の端部７ｂに係合される。なお、内筒６も多孔管など、外筒７と同様に加工液が通過可能に構成されている。
【００２３】
図３（ａ）に示すように、エンドプレート４の外面４ａ（図２における上面）には、開口部４１の周囲を囲むように固定されたカプラ４２が立設されている。また、図３（ｂ）に示すように、エンドプレート４の内面４ｂ（図２における下面）には、サブプレート８に対応した凹部４ｃと、当該凹部４ｃ内に配置され、開口部４１から放射状に延設された、サブプレート８における後述の流路部８１に対応する流路構成部４３と、が設けられている。
【００２４】
また、エンドプレート５の外面（図２における下面）には、図１に示すように、内筒６を介して排出される加工液を、当該エンドプレート５における略中心に形成された開口部５１から外周側へと案内する複数のガイド溝５２が放射状に延設されている。
【００２５】
図４（ａ）および（ｂ）に示すように、サブプレート８のエンドプレート４側の上面８ａには、複数の流路部８１と開口部８２とが設けられている。流路部８１は、開口部４１に対応する中心位置から放射状に延設され、中心位置から内側濾紙２および外側濾紙３間に対応する位置まで延びている。開口部８２は、各流路部８１に内側濾紙２と外側濾紙３との間に向けて開口するように設けられている。また、開口部８２は、サブプレート８の下面８ｂに、内側濾紙２および外側濾紙３間に向けて突設されたノズル８３を備えており、カプラ４２を介して導入され、複数の流路部８１と開口部８２を介して導かれた加工液を、内側濾紙２と外側濾紙３との間へと確実に送り込むことができるようになっている。さらに、サブプレート８の下面８ｂ中央には、突出部８４が形成されており、この突出部８４により内筒６を係合保持するようになっている。
【００２６】
そして、このように構成されたフィルタ１０は、例えば放電加工機等の工作機において放電加工の際に発生した加工粉を加工液（水）から除去して加工液を再利用する場合に用いられ、カプラ４２を介して内側濾紙２と外側濾紙３との間に導入される加工液を、内側濾紙２および外側濾紙３にそれぞれ通過させ、濾過された加工液を内側濾紙２内方および外側濾紙３外方より排出する。内側濾紙２内方より排出される加工液は、内筒６を通り、エンドプレート５の開口部５１を介して複数のガイド溝５２へと導かれ、当該ガイド溝５２によってフィルタ１０の外周側へと案内される。また、外側濾紙３外方より排出される加工液は、外筒７の開口部７１を介してフィルタ１０の外周側へと案内される。このように、内側濾紙２あるいは外側濾紙３に加工液を通過させることにより、加工液から加工粉を除去できるようになっている。
【００２７】
以上、説明したように、本実施形態のフィルタ１０によれば、二重フィルタエレメント１を備える場合であっても、カプラ４２を介して導入される加工液を、サブプレート８によって、内側濾紙２と外側濾紙３との間へと案内できるので、エンドプレート４においてカプラ４２が固定される開口部４１を略中心に形成することができ、フィルタ１０を液槽（不図示）へ設置する際の搭載性を向上させることができる。
【００２８】
また、サブプレート８は、複数の流路部８１と、各流路部８１から内側濾紙２および外側濾紙３間に向けて開口する開口部８２と、を備えているので、カプラ４２を介して導入される加工液を、複数の流路部８１と開口部８２を介して内側濾紙２と外側濾紙３との間へと確実に案内できる。
【００２９】
このとき、かかるフィルタ１０において、エンドプレート４の内面方４ｂには、サブプレート８に対応した凹部４ｃと、当該凹部４ｃ内に配置され、開口部４１から放射状に延設されたサブプレート８の流路部８１に対応する流路構成部４３と、が設けられていることにより、凹部４ｃにサブプレート８が取り付けられ、流路構成部４３が流路部８１と係合することで、カプラ４２を介して導入される加工液を内側濾紙２と外側濾紙３との間へと案内する案内流路を構築することができる。
【００３０】
また、エンドプレート５の外方５ａ側には、内筒６を介して排出される加工液を、当該エンドプレート５における略中心に形成された開口部５１から外周側へと案内する複数のガイド溝５２が放射状に延設されていることにより、フィルタ１０が液槽（不図示）に搭載され、エンドプレート５が当該液槽の底部に密接した状態においても、内側濾紙２を通過して濾過された後、内筒６を介して排出される加工液を、複数のガイド溝５２を介してフィルタ１０の外周側へと案内することができる。
【００３１】
さらに、外側濾紙３が径方向内外に繰り返し折り返された円筒形状に形成されている分、濾過面積を拡げることができ、濾過効率を向上させることができる。
【００３２】
なお、上述した実施形態においては、フィルタ１０が放電加工機等の工作機において、放電加工の際に発生した加工粉を洗い流すための加工液（流体）を再利用するに用いられる場合について述べたが、本発明はこれに限らず、この他種々の機械における流体の濾過に広く適用できることは言うまでもない。
【符号の説明】
【００３３】
１…二重フィルタエレメント，  ２…内側濾紙，  ３…外側濾紙，  ４…他方のエンドプレート，  ４１…開口部，  ４２…カプラ（コネクタ），  ４３…流路構成部，  ４ｃ…凹部，  ５…一方のエンドプレート，  ５１…開口部，  ５２…ガイド溝，  ６…内筒，  ７…外筒，  ８…サブプレート（案内部材），  ８１…流路部，  ８２…開口部，  ８３…ノズル，  ８４…突出部，  １０…フィルタ
【図１】
2018051465.tif 000003
【図２】
2018051465.tif 000004
【図３】
2018051465.tif 000005
【図４】
2018051465.tif 000006
【図５】
2018051465.tif 000007